(57)【要約】【課題】照明器具の安全性を向上する。【解決手段】照明器具用アダプタ１００は、給電用の第一端子１２１、第二端子１２２と異なる、接地用の第三端子部１２３を備えている。第三端子部１２３は、一方の端部１２３ａ及び他方の端部１２３ｂを有し、他方の端部１２３ｂがアダプタ筐体１１０の側壁１１３の外側に位置している。【選択図】図１０Ａ
2020087646.tif 000002
【特許請求の範囲】
【請求項１】
引掛シーリングボディと照明器具の器具本体とを接続するための照明器具用アダプタであって、
前記引掛シーリングボディに対向する第一面、及び、前記第一面に交差する側壁を有するアダプタ筐体と、
前記アダプタ筐体に設けられた給電用の第一端子及び第二端子と、
接地用の第三端子部と
を備え、
前記第三端子部は、一方の端部及び他方の端部を有し、前記他方の端部が前記アダプタ筐体の前記側壁の外側に位置している
照明器具用アダプタ。
【請求項２】
前記第三端子部の前記他方の端部は、前記器具本体を前記照明器具用アダプタに係止させるための係止部材によって構成され、
前記係止部材は、前記側壁に設けられた開口から突出し、前記第一面に沿う方向に力を受けることで、前記第一面に平行な方向に移動する
請求項１に記載の照明器具用アダプタ。
【請求項３】
前記第三端子部の前記他方の端部は、前記第一面に垂直な方向に力を受けることで、前記第一面に垂直な方向に移動する
請求項１に記載の照明器具用アダプタ。
【請求項４】
前記第三端子部の前記一方の端部は、前記第一面に垂直な方向に力を受けることで弾性変形する
請求項１〜３のいずれか１項に記載の照明器具用アダプタ。
【請求項５】
前記照明器具用アダプタは、複数の前記第三端子部を備え、
複数の前記第三端子部は、前記第一面に垂直な方向から見た場合に回転対称に配置されている
請求項１〜４のいずれか１項に記載の照明器具用アダプタ。
【請求項６】
請求項１〜５いずれか１項に記載の照明器具用アダプタと、
前記照明器具用アダプタに接続される前記器具本体と
を備える照明器具であって、
前記第三端子部は、前記器具本体の器具筐体に電気的に接続される
照明器具。
【請求項７】
引掛シーリングボディと、
当該引掛シーリングボディに接続される請求項１〜６のいずれか１項に記載の照明器具用アダプタと、
前記照明器具用アダプタに接続される前記器具本体と
を備える照明器具セットであって、
前記引掛シーリングボディは、建物に敷設された複数の電力供給線に１対１で接続される複数の電力供給部と、前記建物に敷設されたアース線に接続されるアース部とを有し、
前記照明器具用アダプタの前記第一端子及び前記第二端子は前記複数の電力供給部に１対１で接続され、前記第三端子部は前記アース部に接続される
照明器具セット。
【請求項８】
前記引掛シーリングボディは、ボディ筐体を有し、
前記アース部は、前記アダプタ筐体の前記第一面に対向するように前記ボディ筐体に設けられ、
前記第三端子部の前記一方の端部は、弾性変形した状態で前記アース部に接触する
請求項７に記載の照明器具セット。
【発明の詳細な説明】
【技術分野】
【０００１】
本発明は、天井に設けられた引掛シーリングボディに照明器具本体を接続するための照明器具用アダプタ、照明器具用アダプタと照明器具本体とを備える照明器具、及び、引掛シーリングボディと照明器具とを備える照明器具セットに関する。
【背景技術】
【０００２】
従来、天井に設けられた引掛シーリングボディに照明器具本体を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、照明器具の安全性を向上することができる照明器具用アダプタ、照明器具、及び、照明器具セットを提供する。
【課題を解決するための手段】
【０００５】
本発明の一態様に係る照明器具用アダプタは、引掛シーリングボディと照明器具の器具本体とを接続するための照明器具用アダプタであって、前記引掛シーリングボディに対向する第一面、及び、前記第一面に交差する側壁を有するアダプタ筐体と、前記アダプタ筐体に設けられた給電用の第一端子及び第二端子と、接地用の第三端子部とを備え、前記第三端子部は、一方の端部及び他方の端部を有し、前記他方の端部が前記アダプタ筐体の前記側壁の外側に位置している。
【０００６】
本発明の一態様に係る照明器具は、上記照明器具用アダプタと、前記照明器具用アダプタに接続される前記器具本体とを備える照明器具であって、前記第三端子部は、前記器具本体の器具筐体に電気的に接続される。
【０００７】
本発明の一態様に係る照明器具セットは、引掛シーリングボディと、当該引掛シーリングボディに接続される上記照明器具用アダプタと、前記照明器具用アダプタに接続される前記器具本体とを備える照明器具セットであって、前記引掛シーリングボディは、建物に敷設された複数の電力供給線に１対１で接続される複数の電力供給部と、前記建物に敷設されたアース線に接続されるアース部とを有し、前記照明器具用アダプタの前記第一端子及び前記第二端子は前記複数の電力供給部に１対１で接続され、前記第三端子部は前記アース部に接続される。
【発明の効果】
【０００８】
本発明によれば、照明器具の安全性を向上することができる照明器具用アダプタ、照明器具、及び、照明器具セットが実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６Ａ】図６Ａは、実施の形態に係る照明器具を引掛シーリングボディに取り付ける前の模式図である。
【図６Ｂ】図６Ｂは、実施の形態に係る照明器具を引掛シーリングボディに取り付けた後の模式図である。
【図７】図７は、実施の形態の変形例１に係る照明器具の分解斜視図である。
【図８】図８は、実施の形態の変形例１に係る照明器具用アダプタを下方から見た外観斜視図である。
【図９】図９は、実施の形態の変形例１に係る照明器具用アダプタを上方から見た外観斜視図である。
【図１０Ａ】図１０Ａは、実施の形態の変形例１に係る照明器具を引掛シーリングボディに取り付ける前の図である。
【図１０Ｂ】図１０Ｂは、実施の形態の変形例１に係る照明器具を引掛シーリングボディに取り付けた後の模式図である。
【図１１】図１１は、実施の形態の変形例２に係る照明器具を引掛シーリングボディに取り付けた後の模式図である。
【図１２】図１２は、実施の形態の変形例２に係る照明器具用アダプタを模式的に示す平面図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
［１．照明器具の構造］
まず、実施の形態に係る照明器具の構造について、図１〜図３を参照しながら説明する。
【００１４】
図１は、実施の形態に係る照明器具３００の分解斜視図である。図２は、実施の形態に係る照明器具用アダプタ１００を下方から見た外観斜視図である。図３は、実施の形態に係る照明器具用アダプタ１００を上方から見た外観斜視図である。なお、図１には、天井などの構造物に設けられる引掛シーリングボディ２００と、引掛シーリングボディ２００及び照明器具３００を備える照明器具セット４００とが図示されている。
【００１５】
図１〜図３に示されるように、照明器具３００は、照明器具用アダプタ１００と、器具本体３１０と、光源ユニット３２０ａ及び３２０ｂと、器具コネクタ３３０と、蓋３４０と、グローブ３５０とを備える。器具本体３１０には、取り付け孔３６０が設けられている。
【００１６】
器具本体３１０には、器具筐体３１５と、光源ユニット３２０ａ及び光源ユニット３２０ｂと、光源ユニット３２０ａ及び光源ユニット３２０ｂに電気的に接続された器具コネクタ３３０とが設けられている。また、器具本体３１０の中央部分には、円形の取り付け孔３６０が設けられている。器具筐体３１５は、例えば金属製であり、導電性を有している。
【００１７】
光源ユニット３２０ａ及び光源ユニット３２０ｂは、それぞれが内部に複数のＬＥＤを有する発光部であり、例えば、グローブ３５０（下方）に向けて光を発する。
【００１８】
器具コネクタ３３０は、照明器具用アダプタ１００に接続されるコネクタである。器具コネクタ３３０が照明器具用アダプタ１００に接続されることにより、器具本体３１０に電力が供給される。
【００１９】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００２０】
照明器具用アダプタ１００は、引掛シーリングボディ２００と照明器具３００の器具本体３１０とを接続するためのアダプタである。照明器具用アダプタ１００は、アダプタ筐体１１０を備え、アダプタ筐体１１０の第一面１１１ａからは、断面Ｌ字状をした給電用の第一端子１２１及び第二端子１２２が突出している。第一端子１２１が引掛シーリングボディ２００の挿通孔２１１に挿通され、かつ、第二端子１２２が挿通孔２１２に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２１】
また、アダプタ筐体１１０の側壁１１３からは第一係止部材１３１及び第二係止部材１３２が突出しており、第一係止部材１３１及び第二係止部材１３２は、アダプタ筐体１１０に収容された弾性部材（図１〜図３で図示せず）により、アダプタ筐体１１０の内側から外側に向かって付勢されている。第一係止部材１３１及び第二係止部材１３２のそれぞれは、器具本体３１０を照明器具用アダプタ１００に係止させるための係止部材である。
【００２２】
ユーザは、取り付け孔３６０に照明器具用アダプタ１００のアダプタ筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、弾性部材の付勢力に抗してアダプタ筐体１１０の内側に向けて押し込まれる。
【００２３】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、アダプタ筐体１１０内の弾性部材により与えられる付勢力によってアダプタ筐体１１０の外側に突出する。そうすると、器具本体３１０の取り付け孔３６０の周縁部分が、第一係止部材１３１及び第二係止部材１３２に係止する。
【００２４】
その後、ユーザは、照明器具用アダプタ１００のアダプタ筐体１１０の下面側に設けられたコネクタ挿入口１５０に器具コネクタ３３０を接続し、取り付け孔３６０を下面側から覆う蓋３４０と、グローブ３５０とを装着する。これにより、引掛シーリングボディ２００への照明器具３００の取り付けが完了する。
【００２５】
本実施の形態の照明器具用アダプタ１００は、給電用の第一端子１２１、第二端子１２２と異なる、接地用の第三端子部１２３をさらに備えている。第三端子部１２３は、一方の端部１２３ａ及び他方の端部１２３ｂを有し、他方の端部１２３ｂがアダプタ筐体１１０の側壁１１３の外側に位置している。
【００２６】
照明器具用アダプタ１００が上記構造を有することで、器具本体３１０を照明器具用アダプタ１００に取り付けた場合に、接地用の第三端子部１２３を器具本体３１０に接触させることができる。これにより、器具本体３１０を接地することが可能となり、照明器具３００の安全性を向上することができる。第三端子部１２３の詳しい構造については後述する。
【００２７】
［２．照明器具用アダプタの構造］
次に、照明器具用アダプタ１００の構造について、図１〜図３に加えて図４及び図５を参照しながら説明する。
【００２８】
図４は、実施の形態に係る照明器具用アダプタ１００を上方から見た分解斜視図である。図５は、実施の形態に係る照明器具用アダプタ１００を下方から見た分解斜視図である。なお、図４及び図５では、部材同士を固定するねじについては、図示が省略される。
【００２９】
図４及び図５に図示されるように、照明器具用アダプタ１００は、アダプタ筐体１１０と、第一端子１２１と、第二端子１２２と、第三端子部１２３と、第一係止部材１３１と、第二係止部材１３２と、弾性部材１７０と、第一レバー１６１と、第二レバー１６２とを備えている。なお、照明器具用アダプタ１００は、ロック部１４５及びロック解除ボタン１４０も備えているが、本実施の形態ではそれらの説明を省略する。
【００３０】
アダプタ筐体１１０は、照明器具用アダプタ１００が備える各構成要素を収容する略扁平円筒状の部材である。アダプタ筐体１１０は、引掛シーリングボディ２００に対向する第一面１１１ａ、第一面１１１ａと反対側の第二面１１２ａ、並びに、第一面１１１ａ及び第二面１１２ａの両方に交差し、第一面１１１ａ及び第二面１１２ａを繋ぐ側壁１１３を有する。
【００３１】
また、アダプタ筐体１１０は、第一面１１１ａ側の本体部１１１と、第二面１１２ａ側のカバー１１２とを有する。本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００のアダプタ筐体１１０を構成する。
【００３２】
本体部１１１の引掛シーリングボディ２００に対向する部分には、端子挿通孔１１１ａ１及び端子挿通孔１１１ａ２が設けられる。端子挿通孔１１１ａ１からは第一端子１２１の一方の端部１２１ａが突出し、端子挿通孔１１１ａ２からは第二端子１２２の一方の端部１２２ａが突出している。
【００３３】
また、本体部１１１の引掛シーリングボディ２００に対向する部分には、端子挿通孔１１１ａ３が設けられる。端子挿通孔１１１ａ３は、円形状の孔であり、第一面１１１ａの中央に設けられている。端子挿通孔１１１ａ３からは第三端子部１２３の一方の端部１２３ａが突出している。
【００３４】
本体部１１１の側壁１１３には、第一開口１１３ｃ１及び第二開口１１３ｃ２が設けられる。第一開口１１３ｃ１からは、第一係止部材１３１が本体部１１１の外側に向けて突出している。第二開口１１３ｃ２からは、第二係止部材１３２が本体部１１１の外側に向けて突出している。
【００３５】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じてアダプタ筐体１１０から外部に露出し、器具本体３１０の器具コネクタ３３０が抜き挿し自在に接続される。
【００３６】
カバー１１２は、本体部１１１の下面側を覆う樹脂製で板状の部材である。カバー１１２は、アダプタ筐体１１０の下面（接続面）を構成し、カバー１１２の中央には、開口１１２ｂが設けられる。当該開口１１２ｂからは、コネクタ挿入口１５０並びに第一レバー１６１の被操作部１６１ａ及び第二レバー１６２の被操作部１６２ａが外部に露出する。
【００３７】
第一端子１２１及び第二端子１２２は、金属製の板状の部材であり、アダプタ筐体１１０に設けられている。第一端子１２１、及び、第二端子１２２は、本体部１１１の内側にネジによって固定される。
【００３８】
第一端子１２１の一方の端部１２１ａは、端子挿通孔１１１ａ１から突出する。第一端子１２１の他方の端部１２１ｂは、コネクタ挿入口１５０内に配置される。同様に、第二端子１２２の一方の端部１２２ａは、端子挿通孔１１１ａ２から突出する。第二端子１２２の他方の端部１２２ｂは、コネクタ挿入口１５０内に配置される。第一端子１２１の他方の端部１２１ｂ、及び、第二端子１２２の他方の端部１２２ｂは、器具コネクタ３３０がコネクタ挿入口１５０に接続された状態において、器具コネクタ３３０内の金属端子と接続される。
【００３９】
第三端子部１２３は、一方の端部１２３ａと、引き回し部１２３ｃと、配線１７１と、他方の端部１２３ｂとを有している。第三端子部１２３は、一方の端部１２３ａの少なくとも一部がアダプタ筐体１１０の第一面１１１ａの外側（上方）に位置し、他方の端部１２３ｂがアダプタ筐体１１０の側壁１１３の外側（側方）に突出している。
【００４０】
具体的には、第三端子部１２３の一方の端部１２３ａは、アダプタ筐体１１０に設けられた端子挿通孔１１１ａ３から突出している。一方の端部１２３ａは、曲げられた形状を有している。一方の端部１２３ａは、照明器具用アダプタ１００が引掛シーリングボディ２００に取り付けられた場合に、第一面１１１ａに垂直な方向（下方）に力を受けて弾性変形し、アース部２２３に電気的に接続される。これにより、第三端子部１２３の一方の端部１２３ａが、アース部２２３に押し付けられた状態で接続される。一方の端部１２３ａは、引き回し部１２３ｃ及び配線１７１を介して、他方の端部１２３ｂに導通接続されている。
【００４１】
他方の端部１２３ｂは、第一係止部材１３１又は第二係止部材１３２によって構成されている。第一係止部材１３１及び第二係止部材１３２は、導電性を有する金属部材である。なお、第一係止部材１３１及び第二係止部材１３２は、部材の全ての部分が導電性を有する必要はなく、前述した配線１７１及び器具筐体３１５に接触する部分のみが導電性を有していてもよい。
【００４２】
第一係止部材１３１及び第二係止部材１３２は、照明器具用アダプタ１００が器具本体３１０を保持するための部材である。第一係止部材１３１は、弾性部材１７０によってアダプタ筐体１１０の内側から外部に向けて付勢されており、第一開口１１３ｃ１からアダプタ筐体１１０の外側に向けて突出している。第一係止部材１３１は、第一面１１１ａに沿う方向に力を受けることで、第一面１１１ａに平行な方向に移動する。第二係止部材１３２は、弾性部材１７０によってアダプタ筐体１１０の内側から外部に向けて付勢されており、第二開口１１３ｃ２からアダプタ筐体１１０の外側に向けて突出している。第二係止部材１３２は、第一面１１１ａに沿う方向に力を受けることで、第一面１１１ａに平行な方向に移動する。弾性部材１７０は、具体的には、ねじりばねであるが、その他の弾性部材であってもよい。
【００４３】
第一レバー１６１及び第二レバー１６２は、器具本体３１０を照明器具用アダプタ１００から取り外すために操作される樹脂製の部材である。第一係止部材１３１は、第一レバー１６１が操作されることにより、Ｙ軸方向に沿って移動する。第二係止部材１３２は、第二レバー１６２が操作されることにより、Ｙ軸方向に沿って移動する。ユーザは、第一レバー１６１の被操作部１６１ａ及び第二レバー１６２の被操作部１６２ａのそれぞれをアダプタ筐体１１０の中央部分から外側に向けて引くことで、第一係止部材１３１及び第二係止部材１３２をアダプタ筐体１１０内に移動させ、器具本体３１０を照明器具用アダプタ１００から取り外すことができる。
【００４４】
照明器具用アダプタ１００が上記構造を有することで、器具本体３１０を照明器具用アダプタ１００に取り付ける際に、ねじ止めのような作業でなく、器具本体３１０を押し上げて係止部材１３１、１３２に係止させるという簡易な作業で取り付け、同時に他方の端部１２３ｂを器具本体３１０に接触させることができる。また、器具本体３１０を照明器具用アダプタ１００から取り外す際も、簡易な作業で取り外し、同時に他方の端部１２３ｂを器具本体３１０から離すことができる。
【００４５】
［３．照明器具及び引掛シーリングボディの組み合わせ構造］
次に、照明器具３００及び引掛シーリングボディ２００の組み合わせ構造について、図６Ａ及び図６Ｂを参照しながら説明する。
【００４６】
図６Ａは、実施の形態に係る照明器具３００を引掛シーリングボディ２００に取り付ける前の模式図である。図６Ｂは、実施の形態に係る照明器具３００を引掛シーリングボディ２００に取り付けた後の模式図である。
【００４７】
図６Ａ及び図６Ｂに図示されるように、引掛シーリングボディ２００は、天井などの構造物に予め設置されている。そして、照明器具用アダプタ１００が引掛シーリングボディ２００に取り付けられ、その後、器具本体３１０が照明器具用アダプタ１００に取り付けられる。
【００４８】
引掛シーリングボディ２００は、絶縁性を有するボディ筐体２１５と、複数の電力供給部２２１、２２２と、アース部２２３とを有している。電力供給部２２１、２２２のそれぞれは、電力供給用の端子であり、ボディ筐体２１５の内部に配置されている。各電力供給部２２１、２２２は、建物に敷設された複数の電力供給線５２１、５２２に１対１で接続される。
【００４９】
アース部２２３は、接地用の端子である。アース部２２３は、例えば金属板であり、アダプタ筐体１１０の第一面１１１ａに対向するように、ボディ筐体２１５の下面に設けられている。また、アース部２２３は、第一面１１１ａに垂直な方向から見た場合に、ボディ筐体２１５の中心部に設けられている。アース部２２３は、建物に敷設されたアース線５２３に接続される。
【００５０】
照明器具用アダプタ１００が引掛シーリングボディ２００に接続されると、第一端子１２１及び第二端子１２２が、複数の電力供給部２２１、２２２に１対１で電気的に接続され、第三端子部１２３がアース部２２３に電気的に接続される。具体的には、照明器具用アダプタ１００が引掛シーリングボディ２００に接続される際に、照明器具用アダプタ１００が上方移動及び回動され、各第一端子１２１及び第二端子１２２が各電力供給部２２１、２２２に接続される。また、この上方移動により、第三端子部１２３の一方の端部１２３ａは、弾性変形した状態でアース部２２３に接触する。
【００５１】
その後、器具本体３１０が照明器具用アダプタ１００に接続される。その接続の際、第一端子１２１の他方の端部１２１ｂ及び第二端子１２２の他方の端部１２２ｂが、コネクタ挿入口１５０にて、器具本体３１０の器具コネクタ３３０に接続される。これにより、器具本体３１０が、引掛シーリングボディ２００及び照明器具用アダプタ１００を介して電力の供給を受ける。
【００５２】
また、器具本体３１０が照明器具用アダプタ１００に接続されると、同時に、第三端子部１２３の他方の端部１２３ｂが、器具本体３１０の器具筐体３１５に電気的に接続される。これにより、器具本体３１０が、引掛シーリングボディ２００及び照明器具用アダプタ１００を介して接地される。
【００５３】
［４．効果等］
以上説明したように、本実施の形態の照明器具用アダプタ１００は、引掛シーリングボディ２００と照明器具３００の器具本体３１０とを接続するアダプタである。照明器具用アダプタ１００は、引掛シーリングボディ２００に対向する第一面１１１ａ、及び、第一面１１１ａに交差する側壁１１３を有するアダプタ筐体１１０と、アダプタ筐体１１０に設けられた給電用の第一端子１２１及び第二端子１２２と、接地用の第三端子部１２３とを備える。第三端子部１２３は、一方の端部１２３ａ及び他方の端部１２３ｂを有し、他方の端部１２３ｂがアダプタ筐体１１０の側壁１１３の外側に位置している。
【００５４】
これによれば、例えば器具本体３１０を照明器具用アダプタ１００に取り付けた場合に、接地用の第三端子部１２３を器具本体３１０に接触させることができる。これにより、器具本体３１０を接地することができ、照明器具３００の安全性を向上することができる。
【００５５】
また、第三端子部１２３の他方の端部１２３ｂは、器具本体３１０を照明器具用アダプタ１００に係止させるための係止部材１３１、１３２によって構成され、係止部材（例えば第一係止部材１３１及び第二係止部材１３２）は、側壁１１３に設けられた開口（例えば第一開口１１３ｃ１及び第二開口１１３ｃ２）から突出し、第一面１１１ａに沿う方向に力を受けることで、第一面１１１ａに平行な方向に移動してもよい。
【００５６】
これによれば、係止部材１３１、１３２を用いて器具本体３１０を保持することができ、この保持した状態にて、第三端子部１２３の他方の端部１２３ｂを器具本体３１０に接触させることができる。これにより、器具本体３１０を接地することが可能となり、照明器具３００の安全性を向上することができる。また、係止部材１３１、１３２が第一面１１１ａに平行な方向に移動可能であるので、例えば器具本体３１０を照明器具用アダプタ１００に取り付ける際に、器具本体３１０を押し上げて係止部材１３１、１３２に係止させるという簡易な作業で他方の端部１２３ｂを器具本体３１０に接触させることができる。
【００５７】
また、第三端子部１２３の一方の端部１２３ａは、第一面１１１ａに垂直な方向に力を受けることで弾性変形してもよい。
【００５８】
これによれば、第三端子部１２３の一方の端部１２３ａを引掛シーリングボディ２００に押し付けた状態で接続させることができ、引掛シーリングボディ２００を介して第三端子部１２３を確実にアースに接続することができる。これにより、器具本体３１０を接地することが可能となり、照明器具３００の安全性を向上することができる。
【００５９】
本実施の形態の照明器具３００は、上記照明器具用アダプタ１００と、照明器具用アダプタ１００に接続される器具本体３１０とを備える。第三端子部１２３は、器具本体３１０の器具筐体３１５に電気的に接続されている。
【００６０】
このように、照明器具３００が上記照明器具用アダプタ１００を備えることで、安全性が向上した照明器具３００を提供することができる。
【００６１】
本実施の形態の照明器具セット４００は、引掛シーリングボディ２００と、引掛シーリングボディ２００に接続される上記照明器具用アダプタ１００と、照明器具用アダプタ１００に接続される器具本体３１０とを備える。引掛シーリングボディ２００は、建物に敷設された複数の電力供給線５２１、５２２に１対１で接続される複数の電力供給部２２１、２２２と、建物に敷設されたアース線５２３に接続されるアース部２２３とを有している。照明器具用アダプタ１００の第一端子１２１及び第二端子１２２は複数の電力供給部２２１、２２２に１対１で接続され、第三端子部１２３はアース部２２３に接続される。
【００６２】
これによれば、例えば器具本体３１０を照明器具用アダプタ１００に取り付けた場合に、第三端子部１２３がアース部２２３を介してアース線５２３に接続される。これにより、器具本体３１０を接地することができ、照明器具３００の安全性を向上することができる。
【００６３】
また、引掛シーリングボディ２００は、ボディ筐体２１５を有し、アース部２２３は、アダプタ筐体１１０の第一面１１１ａに対向するようにボディ筐体２１５に設けられ、第三端子部１２３の一方の端部１２３ａは、弾性変形した状態でアース部２２３に接触してもよい。
【００６４】
これによれば、第三端子部１２３の一方の端部１２３ａをアース部２２３に押し付けた状態で接続させることができ、アース部２２３を介して第三端子部１２３を確実にアース線５２３に接続することができる。これにより、器具本体３１０を接地することができ、照明器具３００の安全性を向上することができる。
【００６５】
［５．実施の形態の変形例１］
次に、実施の形態の変形例１に係る照明器具用アダプタ１００Ａについて、図７〜図１０Ｂを参照しながら説明する。変形例１では、第三端子部１２３が１つの金属板で構成されている例について説明する。
【００６６】
図７は、実施の形態の変形例１に係る照明器具３００の分解斜視図である。図８は、実施の形態の変形例１に係る照明器具用アダプタ１００Ａを下方から見た外観斜視図である。図９は、実施の形態の変形例１に係る照明器具用アダプタ１００Ａを上方から見た外観斜視図である。
【００６７】
図７〜図９に図示されるように、照明器具用アダプタ１００Ａは、アダプタ筐体１１０と、第三端子部１２３とを備える。なお、変形例１の照明器具用アダプタ１００Ａは、第一端子１２１、第二端子１２２、第一係止部材１３１、第二係止部材１３２、第一レバー１６１、第二レバー１６２及び弾性部材１７０も備えているが、これらの部材は上記実施の形態と同じ構成であり、説明を省略する。
【００６８】
アダプタ筐体１１０の第一面１１１ａには、端子挿通孔１１１ａ３が設けられる。端子挿通孔１１１ａ３は、四角形状の孔であり、第一面１１１ａの中央付近に設けられている。端子挿通孔１１１ａ３からは第三端子部１２３の一方の端部１２３ａが突出している。
【００６９】
本体部１１１の側壁１１３には、第三開口１１３ｃ３が設けられる。第三開口１１３ｃ３からは、第三端子部１２３の他方の端部１２３ｂが外側に向けて突出している。
【００７０】
第三端子部１２３は、一方の端部１２３ａと、引き回し部１２３ｃと、他方の端部１２３ｂとを有している。第三端子部１２３は、例えば、弾性を有する金属板であり、アダプタ筐体１１０と一体成形される。
【００７１】
第三端子部１２３では、一方の端部１２３ａの少なくとも一部がアダプタ筐体１１０の第一面１１１ａの外側（上方）に位置している。一方の端部１２３ａは、曲げられた形状を有しており、第一面１１１ａに垂直な方向に力を受けることで、弾性変形する。引き回し部１２３ｃは、一方の端部１２３ａ及び他方の端部１２３ｂを繋ぐ部分であり、アダプタ筐体１１０の内部に配置されている。他方の端部１２３ｂは、アダプタ筐体１１０の側壁１１３の外側（側方）に位置している。他方の端部１２３ｂは、下に凸となるように折り曲げられた形状を有している。他方の端部１２３ｂは、第一面１１１ａに垂直な方向に力を受けること、第一面１１１ａに垂直な方向に変形及び移動する。これにより照明器具用アダプタ１００Ａでは、器具本体３１０が照明器具用アダプタ１００Ａに取り付けられた場合、他方の端部１２３ｂが器具筐体３１５に押し付けられた状態で接触する構造となっている。
【００７２】
次に、照明器具３００及び引掛シーリングボディ２００の組み合わせ構造について、図１０Ａ及び図１０Ｂを参照しながら説明する。
【００７３】
図１０Ａは、実施の形態の変形例１に係る照明器具３００を引掛シーリングボディ２００に取り付ける前の模式図である。図１０Ｂは、実施の形態の変形例１に係る照明器具３００を引掛シーリングボディ２００に取り付けた後の模式図である。なお、図１０Ａ及び図１０Ｂでは、第一端子１２１及び第二端子１２２の図示が省略されている。
【００７４】
図１０Ａ及び図１０Ｂに図示されるように、照明器具用アダプタ１００Ａが引掛シーリングボディ２００に接続されると、第三端子部１２３がアース部２２３に電気的に接続される。具体的には、照明器具用アダプタ１００Ａが引掛シーリングボディ２００に接続された場合に、第三端子部１２３は、弾性変形した状態でアース部２２３に接触する。
【００７５】
また、器具本体３１０が照明器具用アダプタ１００Ａに接続されると、同時に、第三端子部１２３の他方の端部１２３ｂが、器具本体３１０の器具筐体３１５に電気的に接続される。これにより、照明器具３００が、引掛シーリングボディ２００を介して接地される。
【００７６】
変形例１の照明器具用アダプタ１００Ａでも、接地用の第三端子部１２３は、他方の端部１２３ｂがアダプタ筐体１１０の側壁１１３の外側に位置している。照明器具用アダプタ１００Ａが上記構造を有することで、器具本体３１０を照明器具用アダプタ１００Ａに取り付けた場合に、接地用の第三端子部１２３を器具本体３１０に接触させることができる。これにより、器具本体３１０を接地することが可能となり、照明器具３００の安全性を向上することができる。
【００７７】
また、第三端子部１２３の他方の端部１２３ｂは、第一面１１１ａに垂直な方向に力を受けることで、第一面１１１ａに垂直な方向に移動してもよい。
【００７８】
これによれば、例えば、器具本体３１０を照明器具用アダプタ１００Ａに取り付けた場合に、第三端子部１２３の他方の端部１２３ｂを器具本体３１０に押し付けた状態で接触させることができる。これにより、器具本体３１０を確実に接地することができ、照明器具３００の安全性を向上することができる。また、他方の端部１２３ｂが第一面１１１ａに垂直な方向に移動可能であるので、例えば器具本体３１０を照明器具用アダプタ１００Ａに取り付ける際に、器具本体３１０を押し上げることで、他方の端部１２３ｂを器具本体３１０に簡易に接触させることができる。
【００７９】
［６．実施の形態の変形例２］
次に、実施の形態の変形例２に係る照明器具用アダプタ１００Ｂについて、図１１及び図１２を参照しながら説明する。変形例２では、照明器具用アダプタ１００Ｂが複数の第三端子部１２３を備える例について説明する。
【００８０】
図１１は、実施の形態の変形例２に係る照明器具３００を引掛シーリングボディ２００に取り付けた後の図である。図１２は、実施の形態の変形例２に係る照明器具用アダプタ１００Ｂを模式的に示す平面図である。なお、図１１では、第一端子１２１及び第二端子１２２の図示が省略されている。
【００８１】
図１１及び図１２に図示されるように、照明器具用アダプタ１００Ｂは、アダプタ筐体１１０と、第三端子部１２３とを備える。なお、変形例２の照明器具用アダプタ１００Ｂは、第一端子１２１、第二端子１２２、第一係止部材１３１、第二係止部材１３２、第一レバー１６１、第二レバー１６２及び弾性部材１７０も備えている。
【００８２】
照明器具用アダプタ１００Ｂは、複数の第三端子部１２３を備えている。複数の第三端子部１２３は、第一面１１１ａに垂直な方向から見た場合に回転対称に配置されている（図１２参照）。すなわち、複数の第三端子部１２３は、アダプタ筐体１１０の中心１１０ｃを基準として等角度間隔で配置されている。図１２では、２つの第三端子部１２３が示されているが、照明器具用アダプタ１００Ｂは、３つ以上の第三端子部１２３を備えていてもよい。
【００８３】
各第三端子部１２３の一方の端部１２３ａは、アダプタ筐体１１０の第一面１１１ａの外側（上方）に位置している。第三端子部１２３は、一方の端部１２３ａがアダプタ筐体１１０の第一面１１１ａに沿って配置され、引き回し部１２３ｃが第一面１１１ａと側壁１１３との境界にて斜め下方に折れ曲げられている。そして、他方の端部１２３ｂが側壁１１３から外側（側方）に位置するように配置されている。
【００８４】
なお変形例２では、アダプタ筐体１１０の第一面１１１ａには、端子挿通孔１１１ａ３が設けられておらず、前述したように第三端子部１２３の一部が、アダプタ筐体１１０の第一面１１１ａに沿って配置されている。その場合、アダプタ筐体１１０の第一面１１１ａに溝が設けられ、第三端子部１２３が当該溝に沿って埋め込まれていてもよい。
【００８５】
照明器具用アダプタ１００Ｂが引掛シーリングボディ２００に接続されると、第三端子部１２３がアース部２２３に電気的に接続される。具体的には、照明器具用アダプタ１００Ｂが引掛シーリングボディ２００に接続された場合に、第三端子部１２３は、弾性変形した状態でアース部２２３に接触する。
【００８６】
また、器具本体３１０が照明器具用アダプタ１００Ｂに接続されると、同時に、第三端子部１２３の他方の端部１２３ｂが、器具本体３１０の器具筐体３１５に電気的に接続される。これにより、照明器具３００が、引掛シーリングボディ２００を介して接地される。
【００８７】
変形例２の照明器具用アダプタ１００Ｂでも、接地用の第三端子部１２３は、他方の端部１２３ｂがアダプタ筐体１１０の側壁１１３の外側に位置している。照明器具用アダプタ１００Ｂが上記構造を有することで、器具本体３１０を照明器具用アダプタ１００Ｂに取り付けた場合に、接地用の第三端子部１２３を器具本体３１０に接触させることができる。これにより、器具本体３１０を接地することが可能となり、照明器具３００の安全性を向上することができる。
【００８８】
また、照明器具用アダプタ１００Ｂは、複数の第三端子部１２３を備え、複数の第三端子部１２３は、第一面１１１ａに垂直な方向から見た場合に回転対称に配置されていてもよい。
【００８９】
これによれば、例えば、器具本体３１０を照明器具用アダプタ１００Ｂに取り付けた場合に、第三端子部１２３の他方の端部１２３ｂを均等に器具本体３１０に接触させることができる。これにより、器具本体３１０を確実に接地することができ、照明器具３００の安全性を向上することができる。
【００９０】
（その他の実施の形態）
以上、実施の形態について説明したが、本発明は、上記実施の形態に限定されるものではない。
【００９１】
例えば、上記実施の形態で説明された照明器具は一例であり、照明器具の具体的態様については特に限定されない。照明器具は、照明器具用アダプタを用いて引掛けシーリングボディに接続されるのであれば、どのような態様であってもよい。
【００９２】
また、照明器具用アダプタの具体的な態様についても特に限定されない。照明器具用アダプタの第三端子の一方の端部は、必ずしもアダプタ筐体の第一面から外側に突出している必要はない。例えば、引掛シーリングボディを水平方向から見て引掛シーリングボディ側の端子が凸状の形状を有している場合は、第三端子の一方の端部は、第一面から内側に入り込む凹状（ソケット状）の形状を有していてもよい。
【００９３】
また、上記実施の形態では、照明器具用アダプタは、第一係止部材及び第二係止部材を備え、照明器具の器具本体は、照明器具用アダプタに係止した。しかしながら、照明器具用アダプタが第一係止部材及び第二係止部材を備えることは必須ではない。例えば、器具本体の取り付け孔の内周面、及び、照明器具用アダプタの筐体の側壁の外周面のそれぞれに螺旋状の溝が設けられ、器具本体及び照明器具用アダプタが螺合してもよい。
【００９４】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【００９５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９６】
１００、１００Ａ、１００Ｂ  照明器具用アダプタ
１１０  アダプタ筐体
１１１ａ  第一面
１１２ａ  第二面
１１３  側壁
１１３ｃ１  第一開口（開口）
１１３ｃ２  第二開口（開口）
１２１  第一端子
１２１ａ、１２２ａ、１２３ａ  一方の端部
１２１ｂ、１２２ｂ、１２３ｂ  他方の端部
１２２  第二端子
１２３  第三端子部
１２３ｃ  引き回し部
１３１  第一係止部材（係止部材）
１３２  第二係止部材（係止部材）
２００  引掛シーリングボディ
２１５  ボディ筐体
２２１、２２２  電力供給部
２２３  アース部
３００  照明器具
３１０  器具本体
３１５  器具筐体
３３０  器具コネクタ
４００  照明器具セット
５２１、５２２  電力供給線
５２３  アース線
【図１】
2020087646.tif 000003
【図２】
2020087646.tif 000004
【図３】
2020087646.tif 000005
【図４】
2020087646.tif 000006
【図５】
2020087646.tif 000007
【図６Ａ】
2020087646.tif 000008
【図６Ｂ】
2020087646.tif 000009
【図７】
2020087646.tif 000010
【図８】
2020087646.tif 000011
【図９】
2020087646.tif 000012
【図１０Ａ】
2020087646.tif 000013
【図１０Ｂ】
2020087646.tif 000014
【図１１】
2020087646.tif 000015
【図１２】
2020087646.tif 000016